(57)【要約】      （修正有）【課題】長期スケジュールから日毎のスケジュールにまで対応させて管理することができ、達成すべき願望を適宜確認することができる手帳及び手帳の使用方法を提供する。【解決手段】本実施の形態に係る手帳は、願望達成事項を具体的に達成するためのスケジュールを管理するスケジュール管理用紙と、上記スケジュール管理用紙に記載された各願望を項目別に記載しうるように形成された願望達成事項記載用紙とを備える。上記願望達成事項記載用紙はカード紙により形成されバインダーの表紙内側面部に着脱可能に固定して保持され、上記スケジュール管理用紙はリフィルにより形成されバインダーにファイルされている。【選択図】図１０
2007176124.tif 000002
【特許請求の範囲】
【請求項１】
願望達成事項を具体的に達成するためのスケジュールを管理するスケジュール管理用紙と、
上記スケジュール管理用紙に記載された各願望を項目別に記載しうるように形成された願望達成事項記載用紙とを備え、
上記スケジュール管理用紙は、長期スケジュール管理用紙と短期スケジュール管理用紙とを有し、
上記長期スケジュール管理用紙は、願望の種類に応じた願望種類項と、上記願望種類項に記載された願望を時間的に管理できる時間管理項とを有し、多年度のスケジュールを管理できる多年度スケジュール管理用紙と、単年度のスケジュールを管理できる単年度スケジュール管理用紙とにより構成され、
上記単年度スケジュール管理用紙は、多年度スケジュール管理用紙に記載された各願望を達成するための行動目標に関する単年度でのスケジュールを月度毎に管理しうるように構成され、
上記短期スケジュール管理用紙は、上記単年度スケジュール管理用紙に記載されたスケジュールを、月度にて管理しうる月度管理用紙と、週毎に管理しうる週間管理用紙と、日毎に管理しうる日管理用紙とにより構成され、
上記多年度スケジュール管理用紙に記載された願望の時間管理項に記載された事項を所定の時期に単年度スケジュール管理用紙に転記し、上記単年度スケジュール管理用紙に記載された願望の時間管理項に記載された事項を月度管理用紙に所定の時期に転記し、月度管理用紙に記載された事項を所定の時期に週間管理用紙に転記し、週間管理用紙に記載された事項を日管理用紙に転記することにより達成すべき願望を長期スケジュールから日毎のスケジュールにまで対応させて管理し、
上記願望達成事項記載用紙はカード紙により形成されバインダーの表紙内側面部に着脱可能に固定して保持され、上記スケジュール管理用紙はリフィルにより形成されバインダーにファイルされていることを特徴とする手帳。
【請求項２】
上記多年度スケジュールリフィルは、願望種類項は用紙縦方向に設けられ、時間管理項は年度別に用紙横方向に設けられ、上記願望種類項とに対応する記載事項を年度別に管理しうるように構成され、  
上記単年度スケジュールリフィルは、願望種類項は用紙縦方向に設けられ、時間管理項は月度別に用紙横方向に設けられ、上記願望種類項とに対応する記載事項を月度別に管理しうるように構成され、  
上記月度リフィルは、１ヶ月のリフィルとして形成され、上記単年度スケジュールリフィルに記載されていた願望種類項に対応する記載事項を達成するための行動計画を当該月度を構成する各日毎に記載しうるように構成され、
上記週管理リフィルは、１週間のリフィルとして形成され、上記月度リフィルに記載されていた行動計画を当該週を構成する各日毎に記載しうるように構成され、
上記日管理リフィルは、上記月度リフィルに記載された行動計画をより詳細に時間毎に記載しうるように構成されていることを特徴とする請求項２記載の手帳。
【請求項３】
上記日管理リフィルには、達成目標との自己の行動との関係の中での当該日における反省事項を記載しうる日記スペースが設けられていることを特徴とする請求項２記載の手帳。
【請求項４】
上記多年度スケジュールリフィルは５ヵ年度として形成されていることを特徴とする請求項２記載の手帳。
【請求項５】
上記月度リフィルは各週に対応する週管理メモ欄が設けられていることを特徴とする請求項２記載の２記載の手帳。
【請求項６】
上記週管理リフィルには各日に対応する日管理メモ欄が形成されていることを特徴とする請求項２記載の手帳。
【請求項７】
上記願望達成事項記載用紙は、カードフォルダーに複数枚収納されていることを特徴とする請求項２記載の手帳。
【請求項８】
願望達成事項を具体的に達成するためのスケジュールを管理するスケジュール管理用紙と、上記スケジュール管理用紙に記載された各願望を項目別に記載しうるように形成された願望達成事項記載用紙とを有する手帳の使用方法であって、
上記スケジュール管理用紙を構成する長期スケジュール管理用紙のうち、多年度スケジュール管理用紙に記載された願望の時間管理項に記載された事項を、上記長期スケジュール管理用紙のうち、単年度スケジュール管理用紙に所定の時期に転記するステップと、
上記単年度スケジュール管理用紙に記載された願望の時間管理項に記載された事項を、上記スケジュール管理用紙を構成する短期スケジュール管理用紙のうち、月度にて管理しうる月度管理用紙に所定の時期に転記するステップと、
上記月度管理用紙に記載された事項を、上記短期スケジュール管理用紙のうち、週毎に管理しうる週間管理用紙に所定の時期に転記するステップと、
上記週間管理用紙に記載された事項を、上記短期スケジュール管理用紙のうち、日毎に管理しうる日管理用紙に所定の時期に転記するステップと、
上記スケジュール管理用紙に記載された各願望を項目別に上記願望達成事項記載用紙に転記しうるステップと、
上記願望達成事項記載用紙を手帳本体から取り外して、願望達成事項記載用紙に記載された各願望を確認するステップとを有することを特徴とする手帳の使用方法。
【請求項９】
上記単年度スケジュール管理用紙に記載されていた願望種類項に対応する記載事項を達成するための行動計画を当該月度管理用紙を構成する各日毎に転記するステップと、
上記月度管理用紙に記載されていた行動計画を当該週を構成する各日毎に転記するステップと、
上記週間管理用紙に記載されていた行動計画をより詳細に時間毎に転記するステップとを有することを特徴とする請求項８記載の手帳の使用方法。
【請求項１０】
上記各スケジュール管理用紙に記載された事項において、実行された事項については、所定時期に筆記具で塗りつぶすステップを有することを特徴とする請求項９記載の手帳の使用方法。
【発明の詳細な説明】
【技術分野】
【０００１】
本発明は、常時携帯することができる手帳及び手帳の使用方法に係り、特に、願望を達成するために計画された項目別の行動計画を長期スケジュールから日毎のスケジュールにまで対応させて管理することができるとともに、上記行動計画を適宜容易に確認することができる手帳及び手帳の使用方法に関する。
【背景技術】
【０００２】
従来から、自己の予定が記入されたスケジュール管理を行うように構成されている手帳が使用され、ビジネスマン等は、今後行わなければならない予定等を上記手帳に記載して、行動計画を行うように使用されている。
【０００３】
上記手帳においては、複数の項目から成る目標を実現するための毎年の計画を日々のスケジュールに反映して行うことができるように、項目毎の目標を管理する手帳が使用されている（特許文献１）。
また、マンダラ思想に基づいた人生目標、ビジネス目標及びこれらを実現するための年間、月間、週間等の行動計画が記入できるように構成された手帳が使用されている（特許文献２、特許文献３）
【特許文献１】実登３１１０３４３号公報
【特許文献２】特開２００３−１７５６９１号公報
【特許文献３】実公平０６−２８２９４号公報
【発明の開示】
【発明が解決しようとする課題】
【０００４】
ここで、特許文献１に係る考案は、複数の項目からなる目標を達成するために、項目毎の目標の達成期限を管理する未来年表用紙により形成され、上記未来年表用紙には、当該目標の達成期限と、現状との差分を記入する差分記入欄、及び前記差分を前記達成期限までに無くすための１年ごとの達成目標を記入する目標記入欄等が設けられているが、上記未来年表用紙に記載された項目毎の行動計画は、上記手帳に記載されて取り付けられているため、上記項目ごとの行動計画を確認するためには、常に上記手帳を携帯しなければならず、目標を達成するための行動計画の確認が煩雑であった。
【０００５】
また、上記特許文献２、特許文献３に係る発明は、マンダラ思想に基づいて、人生目標、ビジネス目標及びこれらを実現するための年間、月間、週間等の行動計画が記入できるように構成され、年別、月別、週別の行動計画と実行効果とが常にコントロールできるように各計画欄表に記載しうるように形成されているが、上記特許文献１と同様に、各計画欄表に記載された各計画目標は、上記手帳に設けられていることから、上記計画目標を確認するためには、常に上記手帳を携帯しなければならず、目標の確認が煩雑であった。
【０００６】
そこで、本発明が解決しようとする課題は、願望を達成するために計画された項目別の行動計画を、長期スケジュールから日毎のスケジュールにまで対応させて管理することができるとともに、上記行動計画を適宜容易に確認することができる手帳及び手帳の使用方法を提供することにある。
【課題を解決するための手段】
【０００７】
このような技術的課題解決のため、請求項１記載の発明は、願望達成事項を具体的に達成するためのスケジュールを管理するスケジュール管理用紙と、上記スケジュール管理用紙に記載された各願望を項目別に記載しうるように形成された願望達成事項記載用紙とを備え、上記スケジュール管理用紙は、長期スケジュール管理用紙と短期スケジュール管理用紙とを有し、上記長期スケジュール管理用紙は、願望の種類に応じた願望種類項と、上記願望種類項に記載された願望を時間的に管理できる時間管理項とを有し、多年度のスケジュールを管理できる多年度スケジュール管理用紙と、単年度のスケジュールを管理できる単年度スケジュール管理用紙とにより構成され、上記単年度スケジュール管理用紙は、多年度スケジュール管理用紙に記載された各願望を達成するための行動目標に関する単年度でのスケジュールを月度毎に管理しうるように構成され、上記短期スケジュール管理用紙は、上記単年度スケジュール管理用紙に記載されたスケジュールを、月度にて管理しうる月度管理用紙と、週毎に管理しうる週間管理用紙と、日毎に管理しうる日管理用紙とにより構成され、上記多年度スケジュール管理用紙に記載された願望の時間管理項に記載された事項を所定の時期に単年度スケジュール管理用紙に転記し、上記単年度スケジュール管理用紙に記載された願望の時間管理項に記載された事項を月度管理用紙に所定の時期に転記し、月度管理用紙に記載された事項を所定の時期に週間管理用紙に転記し、週間管理用紙に記載された事項を日管理用紙に転記することにより達成すべき願望を長期スケジュールから日毎のスケジュールにまで対応させて管理し、上記願望達成事項記載用紙はカード紙により形成されバインダーの表紙内側面部に着脱可能に固定して保持され、上記スケジュール管理用紙はリフィルにより形成されバインダーにファイルされていることを特徴とする。
従って、上記願望達成事項記載用紙を上記バインダーから取り外して、上記願望達成事項記載用紙を眺めるだけで、上記スケジュール管理用紙において計画した各願望を達成するための行動目標を、上記願望の項目ごとに確認することができる。
【０００８】
請求項２記載の発明は、上記多年度スケジュールリフィルは、願望種類項は用紙縦方向に設けられ、時間管理項は年度別に用紙横方向に設けられ、上記願望種類項とに対応する記載事項を年度別に管理しうるように構成され、上記単年度スケジュールリフィルは、願望種類項は用紙縦方向に設けられ、時間管理項は月度別に用紙横方向に設けられ、上記願望種類項とに対応する記載事項を月度別に管理しうるように構成され、上記月度リフィルは、１ヶ月のリフィルとして形成され、上記単年度スケジュールリフィルに記載されていた願望種類項に対応する記載事項を達成するための行動計画を当該月度を構成する各日毎に記載しうるように構成され、上記週管理リフィルは、１週間のリフィルとして形成され、上記月度リフィルに記載されていた行動計画を当該週を構成する各日毎に記載しうるように構成され、上記日管理リフィルは、上記月度リフィルに記載された行動計画をより詳細に時間毎に記載しうるように構成されていることを特徴とする。
従って、長期スケジュール管理用紙において計画した事項を日毎のスケジュールにまで対応させて詳細に管理することができ、長期スケジュールにおいて計画した願望を具体的に計画することができる。
【０００９】
請求項３記載の発明は、上記日管理リフィルには、達成目標との自己の行動との関係の中での当該日における反省事項を記載しうる日記スペースが設けられていることを特徴とする。
従って、上記スペースに反省事項を記載することにより、当該日において行うべき事項が達成できたか確認することができる。
【００１０】
請求項４記載の発明は、上記多年度スケジュールリフィルは５ヵ年度として形成されていることを特徴とする。
従って、長期にわたって願望を達成するための行動を計画しうる手帳として使用することができる。
【００１１】
請求項５記載の発明は、上記月度リフィルは各週に対応する週管理メモ欄が設けられていることを特徴とする。
従って、当該週におけるメモを記載することができる。
【００１２】
請求項６記載の発明は、上記週管理リフィルには各日に対応する日管理メモ欄が形成されていることを特徴とする。
従って、当該日におけるメモを記載することができる。
【００１３】
請求項７記載の発明は、上記願望達成事項記載用紙は、カードフォルダーに複数枚収納されていることを特徴とする。
従って、上記スケジュール管理用紙に記載された各願望を項目別に記載することができ、また、必要に応じて適宜取り替えることができる。
【００１４】
請求項８記載の発明は、願望達成事項を具体的に達成するためのスケジュールを管理するスケジュール管理用紙と、上記スケジュール管理用紙に記載された各願望を項目別に記載しうるように形成された願望達成事項記載用紙とを有する手帳の使用方法であって、上記スケジュール管理用紙を構成する長期スケジュール管理用紙のうち、多年度スケジュール管理用紙に記載された願望の時間管理項に記載された事項を、上記長期スケジュール管理用紙のうち、単年度スケジュール管理用紙に所定の時期に転記するステップと、上記単年度スケジュール管理用紙に記載された願望の時間管理項に記載された事項を、上記スケジュール管理用紙を構成する短期スケジュール管理用紙のうち、月度にて管理しうる月度管理用紙に所定の時期に転記するステップと、上記月度管理用紙に記載された事項を、上記短期スケジュール管理用紙のうち、週毎に管理しうる週間管理用紙に所定の時期に転記するステップと、上記週間管理用紙に記載された事項を、上記短期スケジュール管理用紙のうち、日毎に管理しうる日管理用紙に所定の時期に転記するステップと、上記スケジュール管理用紙に記載された各願望を項目別に上記願望達成事項記載用紙に転記しうるステップと、上記願望達成事項記載用紙を手帳本体から取り外して、願望達成事項記載用紙に記載された各願望を確認するステップとを有することを特徴とする。
従って、必要に応じて上記願望達成事項記載用紙に記載されている各願望を確認することにより、上記スケジュール管理用紙において計画した願望を達成するための行動目標を上記願望の項目ごとに確認することができる。
【００１５】
請求項９記載の発明は、上記単年度スケジュール管理用紙に記載されていた願望種類項に対応する記載事項を達成するための行動計画を当該月度管理用紙を構成する各日毎に転記するステップと、上記月度管理用紙に記載されていた行動計画を当該週を構成する各日毎に転記するステップと、上記週間管理用紙に記載されていた行動計画をより詳細に時間毎に転記するステップとを有することを特徴とする。
従って、長期スケジュール管理用紙において計画した事項を日毎のスケジュールにまで対応させて詳細に管理することができる。
【００１６】
請求項１０記載の発明は、上記各スケジュール管理用紙に記載された事項において、実行された事項については、所定時期に筆記具で塗りつぶすステップを有することを特徴とする。
従って、適宜終了した事項については、塗りつぶすことにより成し遂げた事項と、未だ残存している事項とを明確に区別することができる。
【発明の効果】
【００１７】
請求項１記載の手帳にあっては、上記願望達成事項記載用紙には、上記スケジュール管理用紙に記載された各願望を項目毎に転記して記載しうるように設けられ、上記願望達成事項記載用紙は、バインダーの表紙内側面部に着脱可能に固定して保持されていることから、上記バインダーと共に上記願望達成事項記載用紙を携帯することができ、上記願望達成事項記載用紙に記載されている各願望を達成するための行動目標を適宜確認することができる。
上記願望達成事項記載用紙を上記バインダーから取り外して、上記願望達成事項記載用紙を眺めるだけで、上記スケジュール管理用紙において計画した願望を達成するための行動目標を、上記願望の項目ごとに再認識することができる。
従って、短時間で、繰り返し何度も自己の願望を達成するための行動目標を確認することにより、自己の願望を実現するためのイメージを強く心に留めることができることから、自己の潜在意識に強固な刷り込みを行うことができ、より願望達成を容易なものとすることができる。
【００１８】
また、上記願望達成事項記載用紙は、上記バインダーに対し着脱可能に固定されていることから、上記願望達成事項記載用紙のみを上記バインダーから取り外して、背広の胸ポケット等に収納して携帯することができる。
従って、電車による移動中等の短時間においても、胸ポケット等から、上記願望達成事項記載用紙を取り出すことにより、上記願望達成事項記載用紙に記載されている各願望を、短時間で、繰り返し何度も自己の願望を確認することができ、自己の願望を実現するためのイメージを強く心に留めることにより、自己の潜在意識に強固な刷り込みを行うことができ、より願望達成を容易なものとすることができる。
【００１９】
また、上記願望達成事項記載用紙を眺めることにより気づいた自己の願望を実現するために必要な事項を、その都度、願望達成事項記載用紙に記載し、さらに、適宜上記スケジュール管理用紙に転記することにより、上記願望を実現するために必要な計画にフィードバックさせることができ、自己の願望の実現するための計画の管理を行うことができる。
上記複数の時間列からなるスケジュール管理用紙は、リフィルにより構成されていることから、交換可能に形成されており、自己の生活及び社会情勢等の変化及び、自己の願望実現の為の計画の進捗状況により変化する願望に応じて適宜内容を修正して、上記修正したリフィルを交換することができる。
従って、自己の願望の実現に際し、日々変化する現実に合致した形で計画をたてることができ、自己の願望の実現を実効有らしめることができる。
【００２０】
また、上記各リフィルは、交換可能に形成されていることから、必要なリフィルのみを携帯することができ、上記バインダーの構成を少量のものとすることができる。
このことから、上記バインダーを手軽に持ち運ぶことができ、どこでも短時間で上記スケジュール管理用紙に記載された各スケジュールを確認することができ、自己の願望及び、願望実現のための行動目標を繰り返し確認することにより、願望実現のためのイメージを問題意識をもって強くもつことができる。
【００２１】
上記各リフィルは差し替え可能なバインダーに取り付けられていることから、自己の生活及び社会情勢等の変化及び、自己の願望実現の為の計画の進捗状況により変化する願望に応じて適宜内容を修正して、上記修正したリフィルを交換して差し替えることができる。
従って、自己の願望の実現に際し、日々変化する現実に合致した形で計画をたてることができ、自己の願望の実現を実効有らしめることができる。
【００２２】
請求項２記載の手帳にあっては、上記多年度計画リフィルは、願望種類項に対応する記載事項を年度別に管理しうるように構成され、上記単年度スケジュールリフィルは、月度別に、上記願望種類項に対応する記載事項を月度別に管理しうるように形成され、上記月度リフィルは、上記単年度スケジュールリフィルに記載されていた願望種類に対応する記載事項を達成するための行動計画を各日毎に記載しうるように構成され、上記週管理リフィルは、上記月度リフィルに記載されていた行動計画を当該週を構成する各日毎に記載しうるように構成され、上記日管理リフィルは、上記月度リフィルに記載された行動計画をより詳細に時間毎に記載しうるように夫々構成されていることから、長期スケジュール管理用紙において計画した事項を日毎のスケジュールにまで対応させて詳細に管理することができ、長期スケジュールにおいて計画した願望を具体的に実現へ向けて計画することができる。
【００２３】
請求項３記載の手帳にあっては、上記日管理リフィルには、当該日における反省事項を記載しうる日記スペースが設けられていることから、適宜上記日記スペースに反省事項を記載することにより、当該日において行うべき事項が達成できたか確認することができる。
また、上記反省事項を記載することにより、上記反省事項を確認して一日の自己の行動を客観的に反省することができる。
その結果、願望達成へのステップを意識的にたどることができ、願望達成を確実に行うことができる。
【００２４】
請求項４記載の手帳にあっては、上記多年度計画リフィルは５ヶ年度として形成されていることから、長期にわたって計画しうる手帳として使用することができる。
【００２５】
請求項５記載の手帳にあっては、上記月度リフィルは、各週に対応する週管理メモ欄が設けられていることから、当該週において行動すべき、日付が未確定の行動計画をあらかじめ記載することができ、行動計画を週単位で管理して忘れずに実行することができる。
【００２６】
請求項６記載の手帳にあっては、上記週管理リフィルには、各日に対応する日管理メモ欄が設けられていることから、当該日において行動すべき、時間が未確定の行動計画をあらかじめ記載することができ、行動計画を日単位で管理することにより忘れずに実行することができる。
【００２７】
請求項７記載の手帳にあっては、上記願望達成用紙は、カードフォルダに複数枚収納されていることから、上記スケジュール管理用紙に記載された各願望を項目別に記載することができ、また、上記願望達成用紙に記載した各願望が自己の目標変更や、時代の推移に応じて変更された場合であっても、適宜取り替えることができる。
【００２８】
請求項８記載の手帳の使用方法にあっては、上記スケジュール管理用紙に記載された各願望を項目毎に上記願望達成事項記載用紙に転記するステップを有することから、上記スケジュール管理用紙において計画した各願望の行動計画を上記願望達成事項記載用紙に適宜転記することができ、必要に応じて、上記願望達成事項記載用紙に記載された各願望及び上記願望を達成するための行動計画を読み直して、その都度確認することにより、上記スケジュール管理用紙において計画した願望及び行動計画を、上記願望の項目ごとに再認識することができる。
従って、短時間で、繰り返し何度も自己の願望を確認することができ、自己の願望を実現するためのイメージを強く心に留めることにより、潜在意識に強固に刷り込むことができ、願望達成をより容易に行うことができる。
【００２９】
また、上記願望達成事項記載用紙を眺めることにより気づいた自己の願望を実現するために必要な事項を適宜上記スケジュール管理用紙に転記することにより、上記願望を実現するために必要な計画を立てることができ、自己の願望の実現するための計画の管理を行うことができる。
また、上記願望達成事項記載用紙を手帳本体から取り外して、上記願望達成事項記載用紙に記載された各願望を確認するステップを有することから、上記各願望及び願望を達成するための行動計画が記載された願望達成事項記載用紙を背広の胸ポケット等に収納して携帯することができる。
従って、電車による移動中等の短時間においても、胸ポケット等から、上記願望達成事項記載用紙を取り出すことにより、上記願望達成事項記載用紙に記載されている各願望及び願望を達成するための行動計画を、短時間で、繰り返し何度も確認することができ、自己の願望を実現するためのイメージを強く心に留めることにより、潜在意識に強固に刷り込むことができ、願望達成をより容易に行うことができる。
【００３０】
請求項９記載の手帳の使用方法にあっては、上記単年度スケジュール管理用紙に記載されていた願望種類に対応する記載事項を達成するための行動計画を当該月度管理用紙を構成する各日毎に転記するステップと、上記月度管理用紙に記載されていた行動計画を当該週を構成する各日毎に転記するステップと、上記週間管理用紙に記載されていた行動計画をより詳細に時間毎に転記するステップとを有することから、各スケジュール管理用紙において計画した願望の種類に対応する事項をより詳細に計画することができる。
したがって、長期スケジュール管理用紙において計画した事項を日毎のスケジュールにまで対応させて詳細に管理することができ、長期スケジュールにおいて計画した願望をより具体的に計画することができる。
【００３１】
請求項１０記載の手帳の使用方法にあっては、上記手帳において記載された事項において、実行された事項については、適宜、筆記具で塗りつぶすことから、自己の夢を実現するために成し遂げた予定と、未だ実行されずに残存している予定とを明確に区分することができる。
また、上記赤の筆記具で塗りつぶす作業を行うことにより、自己の夢実現に向けての達成感をもつことができ、夢実現に向けてのモチベーションを高めることができる。
【発明を実施するための最良の形態】
【００３２】
以下、添付図面に示す実施の形態に基づき、本発明にかかる手帳１０の構成及び手帳１０の使用方法を詳細に説明する。
【００３３】
本実施の形態に係る手帳１０は、図１，図２，図３，図４，図５，図６に示すように、願望達成事項を具体的に達成するためのスケジュールを管理するスケジュール管理用紙１２と、上記スケジュール管理用紙１２に記載された各願望を項目別に記載しうるように形成された願望達成事項記載用紙１４とを備え、上記スケジュール管理用紙１２は、長期スケジュール管理用紙８２と短期スケジュール管理用紙８３とを有し、図１、図２に示すように、上記長期スケジュール管理用紙８２は、願望の種類に応じた願望種類項１５ａ，１５ｂと、上記願望種類項１５ａ，１５ｂに記載された願望を時間的に管理できる時間管理項１６ａ，１６ｂとを有し、多年度のスケジュールを管理できる多年度スケジュール管理用紙３０と、単年度のスケジュールを管理できる単年度スケジュール管理用紙３１とにより構成され、図２に示すように、上記単年度スケジュール管理用紙３１は、多年度スケジュール管理用紙３０に記載された各願望を達成するための行動目標に関する単年度でのスケジュールを月度毎に管理しうるように構成され、図３、図４、図５に示すように、上記短期スケジュール管理用紙８３は、上記単年度スケジュール管理用紙３１に記載されたスケジュールを、月度にて管理しうる月度管理用紙３2と、週毎に管理しうる週間管理用紙３３と、日毎に管理しうる日管理用紙３４とにより構成され、上記多年度スケジュール管理用紙３０に記載された願望の時間管理項１６ａに記載された事項を所定の時期に単年度スケジュール管理用紙３１に転記し、上記単年度スケジュール管理用紙３１に記載された願望の時間管理項１６ｂに記載された事項を月度管理用紙３２に所定の時期に転記し、上記月度管理用紙３２に記載された事項を所定の時期に週間管理用紙３３に転記し、上記週間管理用紙３３に記載された事項を日管理用紙３４に転記することにより達成すべき願望を長期スケジュールから日毎のスケジュールにまで対応させて管理し、図１０に示すように、上記願望達成事項記載用紙１４はカード紙により形成されバインダー８０の表紙内側面部に着脱可能に固定して保持され、上記スケジュール管理用紙１２はリフィルにより形成されバインダー８０にファイルされている。
【００３４】
また、上記多年度スケジュールリフィル３０は、図１に示すように、願望種類項１５ａは用紙縦方向に設けられ、時間管理項１６ａは年度別に用紙横方向に設けられ、上記願望種類項１５ａに対応する記載事項を年度別に管理しうるように構成され、上記単年度スケジュールリフィル３１は、図２に示すように、願望種類項１５ｂは用紙縦方向に設けられ、時間管理項１６ｂは月度別に用紙横方向に設けられ、上記願望種類項１６ｂに対応する記載事項を月度別に管理しうるように構成され、上記月度リフィル３２は、図３に示すように、１ヶ月分のリフィルとして形成され、上記単年度スケジュールリフィル３１に記載されていた願望種類項１５ｂに対応する記載事項を達成するための行動計画を当該月度を構成する各日毎に記載しうるように構成され、上記週管理リフィル３３は、図４に示すように、１週間分のリフィルとして形成され、上記月度リフィル３２に記載されていた行動計画を当該週を構成する各日毎に時間単位で記載しうるように構成され、上記日管理リフィル３４は、図５に示すように、上記月度リフィル３２に記載された行動計画をより詳細に時間毎に記載しうるように構成されている。
【００３５】
また、上記日管理リフィル３４には、図５に示すように、達成目標との自己の行動との関係の中での当該日における反省事項を記載しうる日記スペース５８が設けられている。
【００３６】
また、上記多年度スケジュールリフィル３０は、図１に示すように、５ヵ年度として形成され、上記月度リフィル３２は、図３に示すように、各週に対応する週管理メモ欄４８が設けられ、上記週管理リフィル３３には、図４に示すように、各日に対応する日管理メモ欄５４が形成され、上記願望達成事項記載用紙１４は、図７に示すように、カードフォルダー５０に複数枚収納されている。
【００３７】
また、本実施の形態に係る手帳１０の使用方法は、図１，図２，図３，図４，図５，図６に示すように、願望達成事項を具体的に達成するためのスケジュールを管理するスケジュール管理用紙１２と、上記スケジュール管理用紙１２に記載された各願望を項目別に記載しうるように形成された願望達成事項記載用紙１４とを有する手帳の使用方法であって、上記スケジュール管理用紙１２を構成する長期スケジュール管理用紙８２のうち、多年度スケジュール管理用紙３０に記載された願望の時間管理項１５ａに記載された事項を、上記長期スケジュール管理用紙８２のうち、単年度スケジュール管理用紙３１に所定の時期に転記するステップと、上記単年度スケジュール管理用紙３１に記載された願望の時間管理項１６ｂに記載された事項を、上記スケジュール管理用紙１２を構成する短期スケジュール管理用紙８３のうち、月度にて管理しうる月度管理用紙３２に所定の時期に転記するステップと、上記月度管理用紙３２に記載された事項を、上記短期スケジュール管理用紙８３のうち、週毎に管理しうる週間管理用紙３３に所定の時期に転記するステップと、上記週間管理用紙３３に記載された事項を、上記短期スケジュール管理用紙８３のうち、日毎に管理しうる日管理用紙３４に所定の時期に転記するステップと、上記スケジュール管理用紙１２に記載された各願望を項目別に上記願望達成事項記載用紙１４に転記しうるステップと、上記願望達成事項記載用紙１４を手帳本体から取り外して、願望達成事項記載用紙１４に記載された各願望を確認するステップとを有する。
【００３８】
また、図２、図３に示すように、上記単年度スケジュール管理用紙３１に記載されていた願望種類項１５ｂに対応する記載事項を達成するための行動計画を当該月度管理用紙３２を構成する各日毎に転記するステップと、図３、図４に示すように、上記月度管理用紙３２に記載されていた行動計画を当該週を構成する各日毎に転記するステップと、図４、図５に示すように、上記週間管理用紙３３に記載されていた行動計画をより詳細に時間毎に転記するステップとを有する。
【００３９】
また、上記各スケジュール管理用紙１２に記載された事項において、実行された事項については、所定時期に筆記具で塗りつぶすステップを有する。
【実施例】
【００４０】
図１０は、本発明の実施例にかかる手帳の構成を示したものである。
上記手帳１０は、複数の項目に区分された自己の願望を実現するために構成された手帳１０であって、図９に示すように、使用者が、使用目的に応じて、差し替え可能なリフィルにより形成されているスケジュール管理用紙１２を組み合わせて、着脱可能に形成されているバインダー８０にファイルして用いることができるいわゆるシステム手帳として用いられ、外出時には、いつでも上記手帳の中身を確認することができるように、薄型に形成され、スーツの胸ポケット等に収納することができるように形成されている。
【００４１】
上記バインダー８０は、図９に示すように、オモテ表紙９０、背表紙９１及び裏表紙９２を有し、かつ上記背表紙９１の裏面側に所定数の開閉可能な６つのリング９３を有する綴じ具９４が取り付けられたバインダー８０として形成されている。
【００４２】
上記バインダー８０には、図９に示すように、上記裏表紙９２の内側面部に、図６に示す願望達成事項記載用紙１４を収納な収納可能なカード保持部８１が設けられている。
【００４３】
図１、図２、図３、図４、図５に示すように、上記スケジュール管理用紙１２は、複数枚の長期スケジュール管理用紙８２と短期スケジュール管理用紙８３とにより構成されている。
【００４４】
図１、図２に示すように、上記長期スケジュール管理用紙８２は、多年度のスケジュールを管理できる多年度スケジュール管理用紙３０と、単年度のスケジュールを管理できる単年度スケジュール管理用紙３１とにより構成され、いずれも願望の種類に応じた願望種類項１５ａ，１５ｂと、上記願望種類項１５ａ，１５ｂに記載された願望を時間的に管理できる時間管理項１６ａ，１６ｂとを有している。
【００４５】
図１は本発明にかかる、多年度スケジュール管理用紙３０を示し、上記多年度スケジュール管理用紙３０は、多年度における年単位の自己の行動計画を記載しうるように形成され、上記年度数は５ヵ年に亘って計画しうるように形成されている。
上記多年度スケジュール管理用紙３０は、横長の長方形状に形成され、上記多年度スケジュール管理用紙３０の長さ方向右側端部には、幅方向に沿って用紙縦方向に沿って形成された６つの孔部６１ａが設けられ、上記各孔部６１ａは、上記バインダー８０に設けられている上記６つのリング９３が挿通され、上記多年度スケジュール管理用紙３０は、交換可能に形成された多年度スケジュールリフィルとして上記バインダー８０に対し、着脱可能に取り付けられている。
【００４６】
図１に示すように、上記多年度スケジュールリフィル３０は、縦横に交叉する罫線により複数の升目に区分されている。
上記多年度スケジュールリフィル３０に設けられている上記時間管理項１６ａは、上記多年度スケジュール管理用紙３０の長さ方向の上側端部において、長さ方向に沿って用紙横方向に設けられた５つの年度記載欄２３ａ，２３ｂ，２３ｃ，２３ｄ，２３ｅにより構成され、上記各年度記載欄２３ａ，２３ｂ，２３ｃ，２３ｄ，２３ｅには、夫々西暦等の各年度を１年ごとに合計５年記載しうるように形成されている。
また、上記年度記載欄２３ａ，２３ｂ，２３ｃ，２３ｄ，２３ｅの下欄には、夫々上記年度記載欄２３ａ，２３ｂ，２３ｃ，２３ｄ，２３ｅに記載された各年度に対応する自分の年齢を記載しうるように形成された年齢記載欄４５ａと、家族等の年齢を記載しうるように形成された副年齢記載欄４５ｂとが、上記年度記載欄２３ａ，２３ｂ，２３ｃ，２３ｄ，２３ｅに沿って形成されている。
【００４７】
上記願望種類項１５ａは、図１に示すように、上記多年度スケジュールリフィル３０の長さ方向の左側端部において、幅方向に沿って用紙縦方向に沿って設けられた６つの多年度見出し欄２１ａ，２１ｂ，２１ｃ，２１ｄ，２１ｅ，２１ｆにより構成され、上記各多年度見出し欄２１ａ，２１ｂ，２１ｃ，２１ｄ，２１ｅ，２１ｆは、上記各年度記載欄２３ａ，２３ｂ，２３ｃ，２３ｄ，２３ｅ，に記載された各年度に対応して設けられ、上記各多年度見出し欄２１ａ，２１ｂ，２１ｃ，２１ｄ，２１ｅ，２１ｆには、自己の願望を計画する上で柱となる仕事、趣味、教養、財産、健康、家庭等のタイトルを記載しうるように形成されている。
【００４８】
上記多年度スケジュールリフィル３０の幅方向に沿って用紙縦方向に設けられた上記多年度見出し欄２１ａ，２１ｂ，２１ｃ，２１ｄ，２１ｅ，２１ｆと、上記多年度見出し欄２１ａ，２１ｂ，２１ｃ，２１ｄ，２１ｅ，２１ｆに記載された各年度に対応して設けられ、上記多年度スケジュールリフィル３０の長さ方向に沿って用紙横方向に設けられた上記年度記載欄２３ａ，２３ｂ，２３ｃ，２３ｄ，２３ｅとにより夫々交差して形成された５ヵ年計画欄２５において、複数の年度行動計画欄１８が設けられている。
上記年度計画欄１８は、上記多年度スケジュールリフィル３０の長さ方向に沿って用紙横方向に設けられた罫線により、上段年度計画欄１８ａ，と下段年度計画欄１８ｂとに区分されて形成されている。
上記上段年度計画欄１８ａには、上記各年度記載欄２３ａ，２３ｂ，２３ｃ，２３ｄ，２３ｅに記載された各年度に対応する計画を記載しうるように形成され、上記下段年度計画欄１８ｂには、上記上段年度計画欄１８ａにおいて計画した各行動計画の結果を記載しうるように形成されている。
【００４９】
また、図１に示すように、上記多年度スケジュールリフィル３０の長さ方向略３分の１の位置において、上記多年度スケジュールリフィル３０の幅方向に沿って用紙縦方向に夫々折れ線９７ａ，９７ｂが設けられ、上記多年度スケジュールリフィル３０は、上記夫々の折れ線９７ａ，９７ｂを介して長さ方向略３分の１の長さ寸法に折りたたまれて、上記バインダー８０内に着脱可能に取り付けられている。
【００５０】
図２は本発明にかかる、単年度スケジュール管理用紙３１を示し、上記単年度スケジュール管理用紙３１は、１ヵ年における月単位の自己の願望達成のための行動計画を記載しうるように形成されている。
上記単年度スケジュール管理用紙３１は、横長の長方形状に形成され、上記単年度スケジュール管理用紙３１の長さ方向右側端部には、幅方向に沿って用紙縦方向に沿って形成された６つの孔部６１ｂが設けられ、上記各孔部６１ｂは、上記バインダー８０に設けられている上記６つのリング９３に取り付けられ、上記単年度スケジュール管理用紙３１は、交換可能に形成された単年度スケジュールリフィルとして上記バインダー８０に対し、着脱可能に取り付けられている。
【００５１】
図２に示すように、上記単年度スケジュールリフィル３１は、縦横に交叉する罫線により複数の升目に区分されている。
上記単年度スケジュールリフィル３１に設けられている上記時間管理項１６ｂは、上記単年度スケジュール管理用紙３１の長さ方向の上側端部において、長さ方向に沿って用紙縦方向に設けられた月度記載欄２４により形成され、上記月度記載欄２４には、１月から６月までの月が記載されている。
また、図示しないが、本実施例においては、記単年度スケジュール管理用紙３１と左右対称の構成に形成された、７月から翌年３月までが記載可能に形成されている短年度スケジュール管理用紙が、上記スケジュール管理用紙３１と左右対称にリング９３に固定されており、双方のスケジュール管理用紙３１により、１年度分のスケジュール管理ができるように構成されている。
【００５２】
また、上記月度記載欄２４の上欄には、夫々上記月度記載欄２４に記載された各月において毎日定型的に行うべき事項を記載しうるように形成された日定型行動事項欄４１と、上記月度記載欄２４に記載された各月において毎週定型的に行うべき事項を記載しうるように形成された週定型行動事項欄４２と、上記月度記載欄２４に記載された各月において毎月定型的に行うべき事項を記載しうるように形成された月定型行動事項欄４３とが、上記月度記載欄２４に沿って形成されている。
【００５３】
図２に示すように、上記願望種類項１５ｂは、上記単年度スケジュールリフィル３１の長さ方向の左側端部において、幅方向に沿って用紙縦方向に設けられた６つの単年度見出し欄２２ａ，２２ｂ，２２ｃ，２２ｄ，２２ｅ，２２ｆにより構成され、上記各単年度見出し欄２２ａ，２２ｂ，２２ｃ，２２ｄ，２２ｅ，２２ｆは、上記月度記載欄２４に記載された各月に対応して設けられ、上記各単年度見出し欄２２ａ，２２ｂ，２２ｃ，２２ｄ，２２ｅ，２２ｆには、図１に示すように、上記多年度スケジュールリフィル３０の多年度見出し欄２１ａ，２１ｂ，２１ｃ，２１ｄ，２１ｅ，２１ｆに記載されている自己の願望を計画する上で柱となる仕事、趣味、教養、財産、健康、家庭等のタイトルと同様のタイトルを記載しうるように形成されている。
また、上記単年度見出し欄２２ａ，２２ｂ，２２ｃ，２２ｄ，２２ｅ，２２ｆの右欄には、上記多年度スケジュールリフィル３０の上記単年度見出し欄２２ａ，２２ｂ，２２ｃ，２２ｄ，２２ｅ，２２ｆに記載された自己の願望を計画するための仕事や趣味等のタイトルに対応して１年ごとに計画されて上記年度計画欄１８に計画された当該年における自己の願望を計画するための、副タイトルを記載しうるように形成された副願望種類項１７が形成されている。
【００５４】
図２に示すように、上記単年度スケジュールリフィル３１の幅方向に沿って用紙縦方向に設けられた上記単年度見出し欄２２ａ，２２ｂ，２２ｃ，２２ｄ，２２ｅ，２２ｆと、上記単年度見出し欄２２ａ，２２ｂ，２２ｃ，２２ｄ，２２ｅ，２２ｆに記載された各月度に対応して設けられ、上記単年度スケジュールリフィル３１の長さ方向に沿って用紙横方向に設けられた上記時間管理項１６ｂにより夫々交差して形成された複数の月度行動計画欄１９が設けられている。
上記月度計画欄１９は、上記単年度スケジュールリフィル３１の長さ方向に沿って用紙横方向に設けられた罫線により、上段月度計画欄１９ａ，と下段月度計画欄１９ｂとに分割して形成されている。
上記上段月度計画欄１９ａには、上記時間管理項１６ｂに記載された各月度に対応する行動計画を記載しうるように形成され、上記下段月度計画欄１９ｂには、上記上段月度計画欄１９ａにおいて計画した各行動計画の結果を記載しうるように形成されている。
【００５５】
また、図２に示すように、上記単年度スケジュールリフィル３１の長さ方向略３分の１の位置において、上記単年度スケジュールリフィル３１の幅方向に沿って夫々折れ線９７ｃ，９７ｄが設けられ、上記単年度スケジュールリフィル３１は、上記夫々の折れ線９７ｃ，９７ｄを介して長さ方向略３分の１の長さ寸法に折りたたまれて、上記バインダー８０内に着脱可能に収納されている。
【００５６】
図３、図４、図５に示すように、上記短期スケジュール管理用紙８３は、上記単年度スケジュール管理用紙３１に記載されたスケジュールを、月度にて管理しうる月度管理用紙３２と、週毎に管理しうる週間管理用紙３３と、日毎に管理しうる日管理用紙３４の各単位で対応させて管理しうるように構成されている。
【００５７】
図３は、本発明にかかる月度管理用紙３２を示し、上記月度管理用紙３２は、当該月における日単位の自己の行動計画を記載しうるように形成され、１ヶ月に亘って自己の願望を達成するための行動計画を記載しうるように形成されている。
上記月度管理用紙３２は、縦長の長方形状に形成され、連続して設けられた２枚の月度管理用紙３２ａ，３２ｂにより見開き１月分の計画計画を記載しうるように形成され、上記月度管理用紙３２ａの幅方向右側端部には、長さ方向に沿って用紙縦方向に形成された６つの孔部６１ｃが設けられ、同様に上記月度管理用紙３２ｂの幅方向左側端部には、長さ方向に沿って用紙縦方向に形成された６つの孔部６１ｄが設けられ、上記各孔部６１ｃ、６１ｄは、上記バインダー８０に設けられている上記６つのリング９３に取り付けられ、上記月度管理用紙３２ａ，３２ｂは、交換可能に形成された月度リフィルとして上記バインダー８０に対し、着脱可能に取り付けられている。
【００５８】
図３に示すように、上記月度リフィル３２は、縦横に交叉する罫線により複数の升目４７に区分されている。
２枚の月度リフィル３２ａ，３２ｂの上段には、用紙横方向に沿って１週間の曜日が記載された曜日欄４６が設けられ、上記曜日欄４６の下段には、上記曜日欄４６に記載されている各曜日に対応して自己の願望を達成するための計画を記載しうるように形成された複数の日別計画欄２０ａにより形成された月間計画欄２７が設けられている。
上記日別計画欄２０ａには、上記単年度スケジュールリフィル３１の月度計画欄１９に記載された事項のうち、当該月度における行動計画事項を日付単位にまで分割して計画して記載しうるように形成されている。
【００５９】
上記複数の日別計画欄２０ａは、上記曜日欄４６に記載された曜日に沿って、１段当たり１週間分に該当する７つの日別計画欄２０ａが複数段配置され、上記月度リフィル３２ｂの幅方向右側端部には、上記月度リフィル３２ｂの用紙縦方向に沿って、当該月における各週の計画事項を記載しうるように形成された週管理メモ欄４８が設けられている。
上記週管理メモ欄４８には、日付が記載されておらず、行動すべき日にちは未定だが当該週において行うべき行動計画をあらかじめ計画して記載しておくことができる。
【００６０】
図３に示すように、上記月度リフィル３２ｂの下欄には、月行動管理メモ欄４９が設けられ、上記行動管理計画メモ欄４９には、行動すべき日にちは未定だが当該月において行うべき行動計画をあらかじめ計画して記載しておくことができる。
【００６１】
図４は、本発明にかかる週管理用紙３３を示し、上記週度管理用紙３３は、当該週における日単位及び時間単位の自己の行動計画を記載しうるように形成され、１週間に亘って自己の願望を達成するための計画を記載しうるように形成されている。
上記週管理用紙３３は、縦長の長方形状に形成され、連続して設けられた２枚の週管理用紙３３ａ，３３ｂにより見開き１週間分の行動計画を記載しうるように形成され、上記週管理用紙３３ａの幅方向右側端部には、長さ方向に沿って用紙縦方向に形成された６つの孔部６１ｅが設けられ、同様に上記月度管理用紙３３ｂの幅方向左側端部には、長さ方向に沿って用紙縦方向に形成された６つの孔部６１ｆが設けられ、上記各孔部６１ｅ、６１ｆは、上記バインダー８０に設けられている上記６つのリング９３に取り付けられ、上記週管理用紙３３ａ，３３ｂは、交換可能に形成された週管理リフィルとして上記バインダー８０に対し、着脱可能に取り付けられている。
【００６２】
図４に示すように、上記週管理リフィル３３は、上記週管理リフィル３３の用紙縦方向うに沿って設けられた罫線により用紙縦方向に沿って、一日毎に分割して設けられている。
２枚の上記週管理リフィル３３の上段には、用紙横方向に沿って１週間の曜日と日にちが記載された日付欄５１が夫々設けられ、上記各日付欄５１の下段には、上記日付欄５１に記載されている当該日における時間別行動計画事項を記載しうるように形成された複数の日別計画欄２０ｂにより形成された週間計画欄２８が設けられている。
上記日別計画欄２０ｂには、上記月度リフィル３２の月間計画欄２７の日別計画欄２０ａに記載された事項のうち、当該日における計画事項を時間単位にまで分割して計画して記載しうるように形成されている。
【００６３】
上記各日別計画欄２０ｂには、週間管理リフィル３３の長さ方向に沿って記載された時間管理項１６ｃが設けられ、上記時間管理項１６ｃには、当該日付における１時間毎の時刻５３が記載されている。
本実施例においては、上記時間管理項１６ｃには、平日の朝８時から夜２３時まで時刻があらかじめ記載され、上記時間管理項１６ｃのうち、平日の上記時間管理項１６ｃの最上段、最下段及び、土曜日、日曜日の時間管理項１６ｃには時刻が記載されていない空白時刻欄５３ａが設けられている。
必要に応じて、上記空白時刻欄５３ａに自己の行動計画に合致した時刻を記載することにより、個々の行動計画に合致した行動計画を立てることができる。
【００６４】
図４に示すように、上記週管理リフィル３２ｂの各日別計画欄２０ｂの下段には、当該日における計画事項を記載しうるように形成された日管理メモ欄５４が設けられている。
上記日管理メモ欄５４には、時刻が記載されておらず、行動すべき時刻は未定だが当該日において行うべき行動計画をあらかじめ計画して記載しておくことができる。
【００６５】
図５は、本発明にかかる日管理用紙３４を示し、上記日管理用紙３４は、当該日における時間単位の自己の行動計画及び日記を記載しうるように形成され、一日における自己の願望を達成するための計画を記載しうるように形成されている。
上記日管理用紙３４は、縦長の長方形状に形成され、当該日における時間別計画事項を記載しうるように形成された時間管理用紙３４ａと、達成事項との自己の行動との関係の中で当該日における反省事項を記載しうる日記スペース５８が設けられたメモ記載用紙３４ｂとにより構成され、上記時間管理用紙３４ａと、上記メモ記載用紙３４ｂとにより、連続して設けられて見開き１日分の計画を記載しうるように形成されている。
【００６６】
上記時間管理用紙３４ａの幅方向右側端部には、長さ方向に沿って用紙縦方向に形成された６つの孔部６１ｇが設けられ、同様に上記メモ記載用紙３４ｂの幅方向左側端部には、長さ方向に沿って用紙縦方向に形成された６つの孔部６１ｈが設けられ、上記各孔部６１ｇ、６１ｈは、上記バインダー８０に設けられている上記６つのリング９３に取り付けられ、上記時間管理用紙３４ａ及び上記メモ記載用紙３４ｂは、交換可能に形成された日管理リフィルとして上記バインダー８０に対し、着脱可能に取り付けられている。
【００６７】
図５に示すように、上記時間管理用紙３４ａは、上記時間管理用紙３４ａの用紙横方向に沿って設けられた複数の罫線により用紙縦方向に沿って、複数の時間配列に分割されている。
上記時間管理用紙３４ａの上段には、当該日における日付欄５６が設けられ、上記日付欄５６の下段には、上記日付欄５６に記載されている当該日における時間別行動計画事項を記載しうるように形成された日計画欄２９が設けられている。
上記日計画欄２９には、上記週管理リフィル３３の週間計画欄２８の日別計画欄２０ｂに記載された事項のうち、当該日における行動計画事項をさらに詳細に時間単位に分割して転記しうるように形成されている。
【００６８】
上記日計画欄２９には、上記時間管理用紙３４ａの長さ方向に沿って記載された時間管理項１６ｄが設けられ、上記時間管理項１６ｄには、当該日付における１時間毎の時刻５７が記載されている。
本実施例においては、上記時間管理項１６ｄには、朝８時から夜２３時まで時刻があらかじめ記載され、上記時間管理項１６ｄのうち、上記時間管理項１６ｄの最上段には時刻が記載されていない空白時刻欄５７ａが設けられている。
必要に応じて、上記空白時刻欄５７ａに自己の行動計画に合致した時刻を記載することにより、個々の行動計画に合致した行動計画を立てることができる。
【００６９】
図５に示すように、上記メモ記載用紙の上段には、達成事項との自己の行動との関係の中で当該日における反省事項を記載しうる日記スペース５８が設けられており、上記日記スペース５８は、縦横に配置された罫線により構成された方眼紙状に形成されている。
また、上記日記スペース５８の下段には、当該日における時間単位の自己の行動計画及び日記を記載しうるように形成され、一日に亘って自己の願望を達成するための行動計画を記載しうるように形成されている日記欄５９が設けられている。
【００７０】
図６は、本発明の実施例にかかる願望達成事項記載用紙１４を示し、上記願望達成用紙１４は略長方形状のカード紙により形成され、５ｍｍ方眼９６が設けられた願望記載欄９５を有している。
上記願望記載欄９６には、図１、図２に示すように、上記多年度スケジュールリフィル３０の年度計画欄１８に記載された計画事項及び、上記単年度スケジュールリフィル３１の月度計画欄１９に記載された計画事項を転記して、上記各スケジュール管理用紙に記載された事項を適宜確認することができる願望確認用紙１４ａ，１４ｂ，１４ｃ，１４ｄ，１４ｅ，１４ｆとして使用することができる。
【００７１】
図６に示すように、上記各願望確認用紙１４ａ，１４ｂ，１４ｃ，１４ｄ，１４ｅ，１４ｆの用紙上欄９５ａには、上記多年度スケジュールリフィル３０及び、上記単年度スケジュールリフィル３１の願望種類項１５ａ，１５ｂに記載された各願望のタイトルを記載しうるように形成され、本実施例にあっては、夫々仕事、趣味、教養、財産、健康、家庭等の願望のタイトルを転記可能に形成されている。
上記各願望確認用紙１４ａ，１４ｂ，１４ｃ，１４ｄ，１４ｅ，１４ｆの用紙下欄９５ｂには、上記多年度スケジュールリフィル３０の年度計画欄１８に記載された計画事項及び、上記単年度スケジュールリフィル３１の月度計画欄１９に記載された計画事項を夫々上記願望種類項１５ａ，１５ｂに対応して項目別に転記しうるように形成されている。
このことから、上記各願望確認用紙１４ａ，１４ｂ，１４ｃ，１４ｄ，１４ｅ，１４ｆを見るするだけで、上記多年度スケジュールリフィル３０及び、上記単年度スケジュールリフィル３１において計画した行動計画を容易に確認することができる。
【００７２】
また、図６に示すように、上記願望達成事項記載用紙に自己の人生における使命を記載することにより、随時自己の使命を確認して意識することができる使命確認用紙３７として使用することができる。
【００７３】
また、上記願望達成事項記載用紙に、自己が行うべき行動を記載することにより、随時自己の行動を確認することができる行動確認用紙３６として使用することができる。
【００７４】
また、上記願望達成事項記載用紙に、日々の行動において気づいたことを適宜記入しうるように形成された行動メモ用紙３５として使用することができる。
したがって、手帳本体を広げることができない場合であっても、上記行動メモ用紙３５に上記行動メモ用紙３５に日々の行動において気づいた事項を容易に記載することができる。
また、上記行動メモ用紙３５に記載された事項を、スケジュール管理用紙１２に転記することにより、上記気づいた事項を忘れずに自己の行動に反映することができる。
【００７５】
上記願望達成事項記載用紙１４を保持するために、図７、図８、図９に示すようなカードフォルダー５０が設けられている。上記カードフォルダー５０は、上記願望達成事項記載用紙１４を載置しうる方形の基板部６３と、上記願望達成事項記載用紙１４の四隅を挟み止めしうる固定部６２ａ，６２ｂ，６２ｃ，６２ｄとを有している。
【００７６】
上記固定部６２ａ，６２ｂ，６２ｃ，６２ｄは、図７、図９に示すように、三角片７５ａ，７５ｂ，７５ｃ，７５ｄにより形成され、上記三角片７５ａ，７５ｂ，７５ｃ，７５ｄの裏側に上記願望達成事項記載用紙１４の隅角部を潜入させて係合しうるように形成されている。
【００７７】
上記基板部６３の裏面６５側には、図８に示すように、複数のポケット６７，６８，６９が設けられ、上記ポケット６９は名刺を収納可能な名刺サイズに形成され、上記ポケット６７，６８は自己の願望を記載する上記願望達成事項記載用紙１４を収納可能なサイズに形成されている。
【００７８】
上記願望達成事項記載用紙１４は、図７、図９に示すように、上記カードフォルダー５０に着脱可能に保持される。即ち、上記願望達成事項記載用紙１４は上記基板部６３の上に載置され、四隅の隅角部を上記三角片７５ａ，７５ｂ，７５ｃ，７５ｄの裏側に係合させることにより、着脱可能に固定される。
【００７９】
上記願望達成事項記載用紙１４を保持した上記カードフォルダー５０は、図１０に示すように、上記裏表紙９２の裏面側に設けられたカード保持部８１に着脱可能に収納される。
即ち、上記願望達成事項記載用紙１４は上記カードフォルダー５０を介して上記カード保持部８１に収納される。
【００８０】
上記カード保持部８１は、図１０に示すように、上記カードフォルダー５０を収納しうるカードケース保持部９８として形成されている。
即ち、上記カードフォルダー５０は上記カードケース保持部９８に収納されることになる。
【００８１】
上記カードケース保持部９８は、図１０に示すように、ポケット９９として形成されている。
【００８２】
上記ポケット９９は、図１に示すように、上記カードフォルダー５０を出し入れするための開口部８５ａ，８５ｂを有している。
【００８３】
上記ポケット９９の開口部８５ａ，８５ｂは、図１０に示すように、上記裏表紙９２の幅方向に沿って対向するように配置されている。
即ち、上記ポケット９９は、左右両辺にそれぞれ開口部８５ａ，８５ｂを有している。
【００８４】
また、上記カードケース保持部９８は、図１０に示すように、上記裏表紙９２の長さ方向に沿って設けられた帯状部材８６により形成されている。
【００８５】
上記帯状部材８６は長さ方向の両端部のみが上記裏表紙９２に接合されている。
即ち、上記帯状部材８６はその裏側に上記カードフォルダー５０を挿入しうるように形成され、図１０に示すように、上記カードフォルダー５０は上記帯状部材８６と上記裏表紙９２との間に挟持される。
【００８６】
なお、上記バインダー８０のオモテ表紙９０には、図１０に示すように、裏面側にポケット８７とカード入れ８８ａ，８８ｂ，８８ｃが形成されている。
【００８７】
また、上記バインダー８０には、図１〜図５に示すように、着脱可能な５種類のリフィル３０，３１，３２，３３，３４が備えられている。なお、図示はしないがインデックス及びブックマークも備えられている。
【００８８】
以下、本実施例に係る手帳１０の使用方法について詳細に説明する。
本実施例に係る手帳１０は、複数の項目により形成された自己の願望を達成するための長期計画を多年度スケジュールリフィル３０に記載することにより、５ヵ年の行動計画を行い、上記多年度スケジュールリフィル３０に計画された事項を、１ヵ年において行動すべき事項として単年度スケジュールリフィル３１により詳細に分割して転記し、上記単年度スケジュールリフィル３０に計画された事項を、１ヶ月において行動すべき事項として，月度リフィル３２により詳細に分割して転記し、上記月度リフィル３２に計画された事項を、１週間において行動すべき事項として、週管理リフィル３３により詳細に分割して転記し、上記週管理リフィル３３に計画された事項を、１日において行動すべき事項として、日管理リフィル３４により詳細に分割して転記することにより、５ヵ年に亘る長期計画を適宜分割して詳細に転記することにより、長期から日ごとの短期の行動計画事項まで対応して管理することができる手帳として用いられる。
【００８９】
また、上記多年度スケジュールリフィル３０及び単年度スケジュールリフィル３１に計画した計画事項を、上記バインダー８０に着脱可能に形成されている願望達成事項記載用紙１４に記載することにより、上記願望達成事項記載用紙１４を上記バインダー８０から取り外して、上記願望達成事項記載用紙１４に記載された各願望の計画事項を確認することにより、短時間で、繰り返し何度も自己の願望達成のための行動計画を確認することができる。
このことにより、短時間で、繰り返し何度も自己の願望を確認することができ、自己の願望を実現するためのイメージを強く心に留めることにより、願望を自己の潜在意識へ強固に刷り込ませることが可能となる。
【００９０】
具体的には、始めに、図１に示すように、上記多年度スケジュールリフィル３０に形成されている願望種類項１５ａの各多年度見出し欄２１ａ，２１ｂ，２１ｃ，２１ｄ，２１ｅ，２１ｆに自己の願望を実現するための６つの基本項目を記載し、本実施例においては、上記願望の項目は、仕事、趣味、教養、財産、健康及び、家庭の６項目が記載されている。
【００９１】
上記時間管理項１６ａに形成されている年度記載欄２３ａ，２３ｂ，２３ｃ，２３ｄ，２３ｅには、本年度から５年後における年度まで記載し、本実施例においては、夫々２００６、２００７，２００８、２００９、及び２０１０年と記載する。
また、上記各年度記載欄２３ａ，２３ｂ，２３ｃ，２３ｄ，２３ｅの下欄に形成されている年齢記載欄４５ａには、上記各年度記載欄２３ａ，２３ｂ，２３ｃ，２３ｄ，２３ｅに対応する自分の年齢を記載し、副年齢記載欄４５ｂには、例えば上記各年度記載欄２３ａ，２３ｂ，２３ｃ，２３ｄ，２３ｅに対応する妻の年齢等を記載する。
【００９２】
図１に示すように、上記各年度行動計画欄１８において、上記各年度記載欄２３ａ，２３ｂ，２３ｃ，２３ｄ，２３ｅに記載された年度において、上記多年度見出し欄２１ａ，２１ｂ，２１ｃ，２１ｄ，２１ｅ，２１ｆに記載された項目における自己の願望を記載する。
例えば、２００８年における、多年度見出し欄「財産」における自己の願望を、「年収８００万円になる」と記載する。
また、上記年度行動計画欄１８の上段年度計画欄１８ａには、上記年度における自己の計画を記載し、下段年度計画欄１８ｂには、上記計画の結果を記載することができる。
【００９３】
次に、図２に示すように、上記単年度スケジュールリフィル３１に形成されている願望種類項１５ｂの各単年度見出し欄２２ａ，２２ｂ，２２ｃ，２２ｄ，２２ｅ，２２ｆに、上記多年度スケジュールリフィル３０の各多年度見出し欄２１ａ，２１ｂ，２１ｃ，２１ｄ，２１ｅ，２１ｆに記載した各項目と同じ項目を記載する。
本実施例においては、上段から夫々、仕事、趣味、教養、財産、健康及び家庭の６項目を記載する。
上記願望種類項１５ｂと隣接して設けられている副願望種類項１７には、上記多年度スケジュールリフィル３０の上記年度記載欄２３ａ，２３ｂ，２３ｃ，２３ｄ，２３ｅ，に記載された年度のうち、一の年度における年度計画欄１８に記載欄に記載された計画事項を記載する。本実施例においては、上記２００６年における年度計画欄１８に記載された計画事項が上記副願望種類項１７に転記されている。
上記転記時期の時期は１年の終わりにおいて、次年度における単年度スケジュールリフィル３１への転記が行われる。
【００９４】
図２に示すように、上記日定型行動事項欄４１には、当該月において毎日行うべきルーチンワークを記載する。同様に上記週定型行動事項欄４２には、当該月において毎週行うべきルーチンワークを記載し、上記月定型行動事項欄４３には、当該月において行うべきルーチンワークを記載する。
【００９５】
図２に示すように、上記各月度行動計画欄１９において、上記時間管理項１６ｂに記載された月度において、上記単年度見出し欄２２ａ，２２ｂ，２２ｃ，２２ｄ，２２ｅ，２２ｆに記載された項目における自己の願望を記載する。上記行動計画は、上記副願望種類項１７に記載された行動計画を１年間における各月で行うべき事項として詳細に分割して記載し、例えば、２月における、単年度見出し欄「教養」における自己の願望を、「アメリカのチェーンストア理論を学ぶ」と記載する。
【００９６】
次に、図３に示すように、上記月管理リフィル３２において、上記単年度スケジュールリフィル３２の各月毎に計画した願望達成するための計画を月単位に詳細に分割して計画を行う。
具体的には、上記単年度スケジュールリフィル３２の当該月における月度計画欄１９に記載した事項を、その月における１日単位の行動計画としてより詳細に分割して、上記単年度スケジュールリフィル３２に設けられている各日別計画欄２０ａに転記する。
このことにより、上記単年度スケジュールリフィル３２において計画した願望達成のための計画事項をより詳細に計画することができる。
上記転記作業は、１年の終わりにおいてまとめて１ヵ年分行われる。従って、上記月度リフィル３２を１２枚分上記バインダー８０に保持することにより、１年分の計画事項を把握することができる。
【００９７】
また、上記週管理メモ欄４８には、当該週において日付は未定だが、当該週において行うべき行動計画を記載することができる。また、月行動管理メモ欄４９には、日付は未定だが、当該月において行うべき事項を記載してメモすることができる。
【００９８】
次に、図４に示すように、上記週管理リフィル３３において、上記月管理リフィル３２において計画された日単位の願望達成のための行動計画を、時間軸により区画された行動計画として、より詳細に分割して計画することができる。
具体的には、上記月管理リフィル３２の当該各日における各日別計画欄２０ａに記載された事項を１時間毎に分割して記載されている時間管理項１６ｃにより時間毎に分割して計画して転記する。
このことにより、上記月管理リフィル３２において計画した事項をより詳細に計画することができる。
【００９９】
また、上記日管理メモ欄５４には、当該日において行動すべき事項であるが、時間が未定の行動計画を記載することができる。
また、空白時刻欄５３ａに自己のライフスタイルに合わせた時刻を記載することにより、自己の行動に合致した行動計画をたてることができる。
上記転記時期は１ヶ月毎に行われ、従って、上記週管理リフィル３３を１か月分だけ上記バインダー８０に保持すればよいことから、上記バインダー８０の厚みを薄くすることができる。
【０１００】
次に、図５に示すように、上記日管理リフィル３４において、上記週管理リフィル３３において計画された日単位の願望達成のための行動計画を、より詳細な時間軸を有する行動計画として分割して計画することができる。
具体的には、上記週管理リフィル３３の当該各日における上記日別計画欄２０ｂに記載された事項を１時間毎に分割して記載されている時間管理項１６ｄにより時間毎に分割して計画して転記する。
このことにより、上記週管理リフィル３３において計画した事項をより詳細に計画することができる。
【０１０１】
また、上記日記スペース５８には、当該日において気づいたことを記載することができ、上記日記欄５９には、当該日において行うべき事項を行うことができたか、また、自己の計画した行動基準を行うことができたか、また、当該日における自己の感情の動きを客観的に記載することができ、上記記載事項を適宜見直すことにより、願望達成のための自己の行動計画の見直しを行うことができる。
【０１０２】
上記転記時期は、１週間の終わりごとに行われ、従って、上記日管理リフィル３４を１週間分だけ上記バインダー８０に保持すればよいことから、上記バインダー８０の厚みを薄くすることができる。
【０１０３】
また、上記日管理リフィル３４に記載された各行動事項のうち、実行された事項については、適宜赤の筆記具で塗りつぶす。このことにより、終了した行動事項が明確となり、自己の願望を実現するために成し遂げた事項と、未だ実行されずに残存している予定とを明確に区分することができる。上記塗りつぶし作業を行うことにより、自己の夢実現に向けて達成感をもつことができ、夢実現に向けてのモチベーションを高めることができる。
【０１０４】
また、上記各々のリフィル３０，３１，３２，３３，３４は夫々上記リフィルに設けられている孔部６１ａ，６１ｂ，６１ｃ，６１ｄ，６１ｅ，６１ｆ，６１ｇ，６１ｈを上記バインダー８０に設けられているリング９３に対し着脱可能に取り付けられている。
【０１０５】
次に、図６に示すように、上記各願望確認用紙１４ａ，１４ｂ，１４ｃ，１４ｄ，１４ｅ，１４ｆの用紙上欄９５ａに、上記多年度スケジュールリフィル３０及び、上記単年度スケジュールリフィル３１の願望種類項１５ａ，１５ｂに記載された各願望のタイトルを記載する。本実施例においては、上記願望としては、仕事、趣味、教養、財産、健康、家庭等を転記する。
【０１０６】
上記各願望確認用紙１４ａ，１４ｂ，１４ｃ，１４ｄ，１４ｅ，１４ｆの用紙下欄９５ｂには、上記多年度スケジュールリフィル３０の年度計画欄１８に記載された計画事項又は、上記単年度スケジュールリフィル３１の月度計画欄１９に記載された計画事項を夫々上記願望種類項１５ａ，１５ｂの各項目に対応して項目別に記載する。
このことから、上記各願望確認用紙１４ａ，１４ｂ，１４ｃ，１４ｄ，１４ｅ，１４ｆを確認するだけで、自己の行動計画を容易に認識することができる。
【０１０７】
また、図６に示すように、上記願望達成事項記載用紙に自己の人生における使命を記載することもできる。このことにより、随時自己の使命を確認して意識することができる使命確認用紙３７として使用することができる。
【０１０８】
また、上記願望達成事項記載用紙に、自己が行うべき行動を記載することにより、随時自己の行動を確認することができる行動確認用紙３６として使用することもできる。
【０１０９】
また、上記願望達成事項記載用紙１４に、日々の行動において気づいたことを適宜記入しうるように形成された行動メモ用紙３５として使用することもできる。
したがって、手帳本体を広げることができない場合であっても、上記行動メモ用紙３５に上記行動メモ用紙３５に日々の行動において気づいた事項を容易に記載することができる。
また、上記行動メモ用紙３５に記載された事項を、スケジュール管理用紙１２に転記することにより、上記気づいた事項を忘れずに自己の行動に反映させることができる。
【０１１０】
図９、図１０に示すように、上記願望達成事項記載用紙１４は、上記カードフォルダー５０に対し複数枚収納された状態で、上記各リフィル３０，３１，３２，３３，３４が着脱可能に保持されているバインダー８０とともに収納して携帯することができる。
また、電車内や、待ち時間等の短時間において、上記バインダー８０から、カードフォルダー５０を取りだすことにより、上記願望達成事項記載用紙１４に記載された各願望を適宜確認することができ、また、ふとしたアイデアを思いついた時には、上記バインダー８０から、上記カードフォルダー５０ごと取り出して、上記願望達成事項記載用紙１４に記載することにより、容易に書き留めることができるメモ帳としても用いることができる。
【０１１１】
図１０に示すように、上記願望達成事項記載用紙１４を上記バインダー８０から取り出す場合には、上記願望達成事項記載用紙は、上記カードフォルダー５０に保持されていて、上記カードフォルダー５０は、上記カードケース保持部９８に収納されているので、まず、上記カードフォルダー５０を上記カードケース保持部９８から裏表紙９２の幅方向外方 へ抜き取り、次に、上記カードフォルダー５０から、上記願望達成事項記載用紙１４を取り外す。
上記願望達成事項記載用紙１４を上記カードフォルダー５０から取り外すには、上記三角片７５ａ，７５ｂ，７５ｃ，７５ｄから上記願望達成事項記載用紙１４の隅角部を脱出させればよい。
【０１１２】
そして、上記願望達成事項記載用紙１４の願望記載欄９５に上記の願望、アイデア等の「気づいたこと」を書き留める。なお、上記願望達成事項記載用紙１４を上記カードフォルダー５０に固定した状態であっても、上記願望達成事項記載用紙１４は隅角部のみが上記三角片７５ａ，７５ｂ，７５ｃ，７５ｄにより隠蔽され、上記願望記載欄９５は露呈しているので、上記願望記載欄９５に「気づいたこと」を書き留めることは可能である。その場合は、上記基板部６３が下敷きの役割を果たすので記載しやすい。
【０１１３】
各種の「気づいたこと」を記載した上記願望達成事項記載用紙１４は再び上記カードフォルダー５０に固定し、そのカードフォルダー５０は上記カードケース保持部９８に再び収納する。その場合、上記カードケース保持部９８には左右両辺にそれぞれ開口部８５ａ，８５ｂが形成されているので、どちら側からでも収納することができる。
【０１１４】
また、上記カードフォルダー５０を上記カードケース保持部９８から取り出して、背広のポケット等において収納して携帯することができる。
従って、電車による移動中等の短時間においても、上記各リフィル３０，３１，３２，３３，３４に記載された計画事項を確認しなくても、胸ポケット等からカードフォルダー５０に取り付けられた上記願望達成事項記載用紙１４を取り出して眺めるだけで、自己の願望を実現するための行動計画を短時間で繰り返し確認することができ、自己の願望実現のために必要な事項に気づくことができる。
【産業上の利用可能性】
【０１１５】
本発明は、願望を達成するために計画された項目別の行動計画を長期スケジュールから日毎のスケジュールにまで対応させて管理することができるとともに、上記行動計画を適宜容易に確認することができる手帳及び手帳の使用方法に使用できるものである。
【図面の簡単な説明】
【０１１６】
【図１】本発明に係る多年度スケジュール管理用紙を示す全体平面図である。
【図２】本発明に係る単年度スケジュール管理用紙を示す全体平面図である。
【図３】本発明に係る月度管理用紙を示す全体平面図である。
【図４】本発明に係る週間管理用紙を示す全体平面図である。
【図５】本発明に係る日管理用紙を示す全体平面図である。
【図６】本発明に係る願望達成事項記載用紙を示す全体平面図である。
【図７】本発明に係るカードフォルダーの表面を示す全体平面図である。
【図８】本発明に係るカードフォルダーの裏面を示す全体平面図である。
【図９】本発明に係る手帳及びカードフォルダーを示す全体斜視図である。
【図１０】本発明に係るバインダーにカードフォルダーを収納した状態を示す全体斜視図である。
【符号の説明】
【０１１７】
１０    手帳
１２    スケジュール管理用紙
１４    願望達成事項記載用紙（カード紙）
１４ａ  願望確認用紙
１４ｂ  願望確認用紙
１４ｃ  願望確認用紙
１４ｄ  願望確認用紙
１４ｅ  願望確認用紙
１４ｆ  願望確認用紙
１５ａ    願望種類項（多年度）
１５ｂ    願望種類項（単年度）
１６ａ    時間管理項（多年度）
１６ｂ    時間管理項（単年度）
１６ｃ    時間管理項（週間管理）
１６ｄ    時間管理項（日管理）
１７    副願望種類項
１８    年度計画欄
１８ａ    上段年度計画欄
１８ｂ    下段年度計画欄
１９    月度計画欄
１９ａ    上段月度計画欄
１９ｂ    下段月度計画欄
２０ａ    日別計画欄（月間管理用紙）
２０ｂ    日別計画欄（週間管理用紙）
２１ａ    多年度見出し欄
２１ｂ    多年度見出し欄
２１ｃ    多年度見出し欄
２１ｄ    多年度見出し欄
２１ｅ    多年度見出し欄
２１ｆ    多年度見出し欄
２２ａ    単年度見出し欄
２２ｂ    単年度見出し欄
２２ｃ    単年度見出し欄
２２ｄ    単年度見出し欄
２２ｅ    単年度見出し欄
２２ｆ    単年度見出し欄
２３ａ    年度記載欄
２３ｂ    年度記載欄
２３ｃ    年度記載欄
２３ｄ    年度記載欄
２３ｅ    年度記載欄
２４    月度記載欄
２５    ５ヵ年計画欄
２７    月間計画欄
２８    週間計画欄
２９    日計画欄
３０    多年度スケジュール管理用紙
（多年度スケジュールリフィル）
３１    単年度スケジュール管理用紙
（単年度スケジュールリフィル）
３２    月度管理用紙（月度リフィル）
３２ａ  月度管理用紙
３２ｂ  月度管理用紙
３３    週間管理用紙（週管理リフィル）
３３ａ  週管理用紙
３３ｂ  週管理用紙
３４    日管理用紙  （日管理リフィル）
３４ａ  時間管理用紙
３４ｂ  メモ記載用紙
３５    行動メモ用紙
３６    行動確認用紙
３７    使命確認用紙
４１    日定型行動事項欄
４２    週定型行動事項欄
４３    月定型行動事項欄
４５ａ    年齢記載欄
４５ｂ    副年齢記載欄
４６    曜日欄
４７    升目
４８    週管理メモ欄
４９    月行動管理メモ欄
５０    カードフォルダー
５１    日付欄（週管理リフィル）
５３    時刻（週管理リフィル）
５３ａ  空白時刻欄（週管理リフィル）
５４    日管理メモ欄
５６    日付欄（日管理リフィル）
５７    時刻（日管理リフィル）
５７ａ  空白時刻欄（日管理リフィル）
５８    日記スペース
５９    日記欄
６１ａ  孔部（多年度スケジュール管理用紙）
６１ｂ  孔部（単年度スケジュール管理用紙）
６１ｃ  孔部（月間管理用紙）
６１ｄ  孔部（月間管理用紙）
６１ｅ  孔部（週間管理用紙）
６１ｆ  孔部（週間管理用紙）
６１ｇ  孔部（日管理用紙）
６１ｈ  孔部（日管理用紙）
６２ａ    固定部
６２ｂ    固定部
６２ｃ    固定部
６２ｄ    固定部
６３    基板部
６４    表面
６５    裏面
７５ａ    三角片
７５ｂ    三角片
７５ｃ    三角片
７５ｄ    三角片
８０    バインダー
８１    カード保持部
８２    長期スケジュール管理用紙
８３    短期スケジュール管理用紙
８５ａ  開口部
８５ｂ  開口部
８６    帯状部材
８７    ポケット
８８ａ  カード入れ
８８ｂ  カード入れ
８８ｃ  カード入れ
９０    オモテ表紙
９１    背表紙
９２    裏表紙
９３    リング
９４    綴じ具
９５    願望記載欄
９５ａ  用紙上欄
９５ｂ  用紙下欄
９６    方眼
９７ａ  折れ線（多年度スケジュール管理用紙）
９７ｂ  折れ線（多年度スケジュール管理用紙）
９７ｃ  折れ線（単年度スケジュール管理用紙）
９７ｄ  折れ線（単年度スケジュール管理用紙）
９８    カードケース保持部
９９    ポケット
【図１】
2007176124.tif 000003
【図２】
2007176124.tif 000004
【図３】
2007176124.tif 000005
【図４】
2007176124.tif 000006
【図５】
2007176124.tif 000007
【図６】
2007176124.tif 000008
【図７】
2007176124.tif 000009
【図８】
2007176124.tif 000010
【図９】
2007176124.tif 000011
【図１０】
2007176124.tif 000012